(57)【特許請求の範囲】
【請求項１】
投入口(1) と排出口（２）とを備えた円筒形のケーシング（３）と、ケーシング（３）内を複数の計量室（４）に区画する区画部材（５）と、ケーシング（３）の軸方向に沿って配位され区画部材（５）をケーシング（３）内にて回転させる回転軸（６０１）と、この回転軸（６０１）をケーシング（３）の両端にて支持する軸受（７，８）とを備え、投入口（１）から投入された被計量物を、区画部材（５）によって区画される計量室（４）各々が順次受容し、区画部材（５）が回転することにより、計量室（４）内の被計量物を排出口（２）から排出する回転計量装置において、
上記の両軸受（７，８）に、接続用回転軸（６０２，６０３）が夫々回動可能に支持され、
各接続用回転軸（６０２，６０３）と区画部材（５）の回転軸（６０１）とが回動不能且つ取り外し可能に接続され、
ケーシング（３）の少なくとも一端側の軸受（７，８）が、ケーシング（３）に対して取り外し可能に支持されたことを特徴とする回転計量装置。
【請求項２】
ケーシング（３）の少なくとも一端に、ケーシング（３）の両端を閉じる閉鎖部材（３ｂ，３ｄ）が取り外し可能に取り付けられ、この閉鎖部材（３ｂ，３ｄ）に軸受（７，８）が取り付けられることにより、軸受（７，８）がケーシング（３）に対して取り外し可能に支持されたものであり、
上記の回転軸（６０１）と接続用回転軸（６０２，６０３）との何れか一方に受容凹部（６０４，６０３ａ）が設けられ、何れか他方にこの受容凹部（６０４，６０３ａ）に回動不能に軸方向に嵌入される接続部（６０５，６０６，６０３ｂ）が形成されたことを特徴とする、請求項１に記載の回転計量装置。
【発明の詳細な説明】
【０００１】
【発明の属する技術分野】
本願発明は、種子と土とを混合したものや、岩綿等々の粉粒物の計量に適する回転計量装置に関するものである。
【０００２】
【従来の技術】
従来より、回転計量装置として、図６及び図７に示すものが知られている。この計量装置は、投入口１と排出口２とを備えた略円筒形のケーシング３と、ケーシング３内を複数の計量室４に区画する区画部材５と、ケーシング３の軸方向に沿って配位され区画部材５をケーシング内にて回転させる回転軸６と、この回転軸６をケーシングの両端にて支持する軸受７，８とを備える。そして、投入口１から投入された被計量物を、区画部材５によって区画される計量室４の各々が順次受容し、区画部材５が回転することにより、計量室４内の被計量物を排出口２から排出するものである。即ち、投入口から投入された被計量物は、計量室４内の容量に応じた量毎に、順次排出されるものである。
【０００３】
この装置の構造をより詳細に説明すると、まずケーシング３の上部には、投入口１が形成され、この投入口１の上部には、ホッパー（図示せず）等の被計量物の投入装置が接続される。ケーシング３の下部には、排出口２が形成されている。この排出口２は、投入口１と同様に、単なる開口としておけばよいが、この例では、排出口２の下部を溝状の吐出路２１としたもので、ブロアー（図示せず）から吐出されたエアーを、導入口２２から吐出路２１を経て吐出口２３から吐出させることによって、排出口２から落下した被計量物をエアーによって吐出するようにしている。このケーシング３内壁には、ライナーブッシュ３ａが装着固定されている。
【０００４】
このケーシング３内には、回転軸６から半径方向に突出形成された区画部材５が、複数枚、設けられている。各区画部材５には、ゴム板５ａが、当て板５ｂによって押さえられて、ねじにより固定されている。このゴム板５ａは、区画部材５より一回り大きく、ゴム板５ａの周囲が、ケーシング３内壁のライナーブッシュ３ａに当接することにより、各計量室４の気密性を維持しつつ、回転し得るように構成されている。
【０００５】
ケーシング３の前端側には、閉鎖板３ｄが、エアタイトネスプレート３ｅを挟んで、ボルトによって固定される。このエアタイトネスプレート３ｅは、ケーシング３と閉鎖板３ｄとの間の気密性を保持すると共に、前述のゴム板５ａに当接することによって、各計量室４の気密性を維持する。閉鎖板３ｄの外側には、フエルト７ａを挟んで、軸受７がボルトによって固定されている。
【０００６】
ケーシング３の後端側には、閉鎖板３ｂが、エアタイトネスプレート３ｃを挟んで、ボルトによって固定される。このエアタイトネスプレート３ｃは、ケーシング３と閉鎖板３ｂとの間の気密性を保持すると共に、前述のゴム板５ａに当接することによって、各計量室４の気密性を維持する。閉鎖板３ｂの外側には、フエルト８ａを挟んで、軸受８がボルトによって固定されている。
【０００７】
回転軸６の両端は、上記のエアタイトネスプレート３ｃ，３ｅ、閉鎖板３ｂ，３ｄ、フエルト７ａ，８ａを貫いて、軸受７，８内に挿入され、回動可能に支持される。より詳しくは、軸受７，８は、外輪に対して転動体を介して回動可能に支持された内輪を備え、この内輪内に回転軸６の両端を回動不能に夫々嵌入して、内輪と回転軸６とをセットボルトによって固定する。尚、図中６ａ，６ａは、回転軸６とエアタイトネスプレート３ｃ，３ｅとの間に装着される弾性リングを示す。回転軸６の前端側には、軸受８外にて、駆動用のスプロケット９が取り付けられ、このスプロケット９にチェーン１０や減速機（図示せず）を介して電動機（図示せず）等の駆動源に接続されて回転する。
【０００８】
この回転計量装置は、定量の吐出が比較的簡単な構成によって実現すると言った利点があるが、正確な計量を維持するには、計量室４の気密性を維持する必要がある。そのため、ゴム板５ａを用いて計量室４の気密性を維持しているが、このゴム板５ａは常時ケーシング内壁のライナーブッシュ３ａ等に当接しながら回転しているため、その磨耗は避けることができない。そのため、ゴム板５ａは、消耗品として交換する必要が生ずるが、この交換には、この回転計量装置の略全体を分解する必要があり、非常に手間がかかる。
【０００９】
より詳しくは、セットボルトを緩めて軸受７，８の内輪と回転軸６の両端との固定を解除し、次に、ボルトを緩めて閉鎖板３ｂ，３ｄをケーシング３から外して、回転軸６及び区画部材５をケーシング３から取り出す必要がある。尚、閉鎖板３ｂ，３ｄとケーシング３との取り外しは、前後何れか一方の閉鎖板３ｂ，３ｄのみについて行えばよいが、回転軸６と軸受７，８については、両端のセットボルトを夫々外さないと、回転軸６を抜くことができない。
【００１０】
しかも、このセットボルトは、他のボルトよりも径が小さい場合が多く、緩みにくいものが採用されており、他のボルトよりも緩めることが困難であり、さらに、錆等が発生していると、セットボルトを緩め得ず回転軸６を抜くことができない場合も往々にしてある。
【００１１】
【発明が解決しようとする課題】
しかして、本願発明は、区画部材の部品の交換等、ケーシング内を開く必要がある場合に、回転軸と軸受とのセットボルトを緩めずとも、簡単にケーシング内を開くことができ、メンテナンス作業の簡便化を図ることのできる回転計量装置の提供を目的とする。
【００１２】
【課題を解決するための手段】
本願の第１の発明は、投入口１と排出口２とを備えた円筒形のケーシング３と、ケーシング３内を複数の計量室４に区画する区画部材５と、ケーシング３の軸方向に沿って配位され区画部材５をケーシング３内にて回転させる回転軸６０１と、この回転軸６０１をケーシング３の両端にて支持する軸受７，８とを備え、投入口１から投入された被計量物を、区画部材５によって区画される計量室４各々が順次受容し、区画部材５が回転することにより、計量室４内の被計量物を排出口２から排出する回転計量装置において、次の手段を施すことにより上記の課題を解決する
【００１３】
本願の第１の発明においては、上記の両軸受７，８に、接続用回転軸６０２，６０３を夫々回動可能に支持させる。そして、この接続用回転軸６０２，６０３と区画部材５の回転軸６０１とを回動不能且つ取り外し可能に接続させる。これにより、区画部材５の回転軸６０１を、軸受７，８から一々脱着せずとも、接続用回転軸６０２，６０３に対して脱着することにより、軸受から外すことができる。そして、ケーシング３の少なくとも一端側の軸受７，８を、ケーシング３に対して取り外し可能に支持することによって、軸受７，８をケーシング３から脱着すると、この軸受７，８に付いて接続用回転軸６０２，６０３も外れ、区画部材５の回転軸６０１をケーシングから抜き取ることができる。従って、メンテナンスに際しては、軸受７，８をケーシング３から脱着するだけで、区画部材５ごと回転軸６０１をケーシング３から取り出すことができる。
【００１４】
本願の第２の発明においては、上記の第１の発明において、ケーシング３の少なくとも一端に、ケーシング３の両端を閉じる閉鎖部材３ｂ，３ｄが取り外し可能に取り付けられ、この閉鎖部材３ｂ，３ｄに軸受７，８が取り付けられることにより、軸受７，８がケーシング３に対して取り外し可能に支持されたものとする。従って、軸受７，８をケーシング３から脱着するに際しては、軸受７，８自体を取り外しする必要はなく、閉鎖部材３ｂ，３ｄごと軸受７，８をケーシングから外せばよい。さらに、上記の回転軸６０１と接続用回転軸６０２，６０３との何れか一方に受容凹部６０４，６０３ａが設けられ、何れか他方にこの受容凹部６０４，６０３ａに回動不能に軸方向に嵌入される接続部６０５，６０６，６０３ｂが形成されたことにより、閉鎖部材３ｂ，３ｄ及び軸受７，８を軸方向に引っ張るだけで、接続用回転軸６０２，６０３と区画部材５の回転軸６０１との接続を解除し得るものである。
【００１５】
【発明の実施の形態】
以下、本願発明の実施の形態について説明する。
図１は、本願発明に係る回転計量装置の回転軸方向に沿う断面図であり、図２は同要部拡大図である。図３は同回転計量装置の中央縦断面図であり、図４は同回転計量装置の要部分解斜視図である。尚、この回転計量装置は、図６及び図７に示した従来の回転計量装置と基本的に同様の構成を有し、従来の装置と同一の箇所については、同一の符号を付して、その詳細な説明は省略する。
【００１６】
この回転計量装置は、従来と同様、投入口１と排出口２とを備えた略円筒形のケーシング３と、ケーシング３内を複数の計量室４に区画する区画部材５と、ケーシング３の軸方向に沿って配位され区画部材５をケーシング内にて回転させる回転軸６０１と、この回転軸６０１をケーシングの両端にて支持する軸受７，８とを備える。そして、投入口１から投入された被計量物を、区画部材５によって区画される計量室４の各々が順次受容し、区画部材５が回転することにより、計量室４内の被計量物を排出口２から排出するものである。即ち、投入口から投入された被計量物は、計量室４内の容量に応じた量毎に、順次排出されるものである。
【００１７】
従来と相違するのは、回転軸６０１と軸受７，８に関する構成であり、特に、回転軸６０１に関する構成が、従来のものと大きく相違する。
このケーシング３内には、複数枚の区画部材５が回転軸６１から半径方向に突出形成されており、各区画部材５には、ゴム板５ａが、当て板５ｂによって押さえられて、ねじにより固定されている。従来は回転軸６が、直接、軸受７，８に取り付けられていたが、本願発明では、回転軸６０１は、軸受７，８に直接取り付けられておらず、接続用回転軸６０２，６０３を介して、取り付けられている。この回転軸６０１は、ケーシング３内に収められ、閉鎖板３ｂ，３ｄやエアタイトネスプレート３ｃ，３ｅを貫通していない。そして、その両端には、受容凹部６０４，６０４が形成されている。この受容凹部６０４，６０４は、多角形の穴とされている。
【００１８】
他方、接続用回転軸６０２，６０３は、一端に上記の受容凹部６０４，６０４に嵌合する多角柱状の接続部６０５，６０６を有する。従って、受容凹部６０４，６０４に接続部６０５，６０６を嵌入することによって、両者は回動不能に接続される。尚、両者は回動不能に接続されれば足り、キー及びキー溝等の他の形状にしてもよい。
【００１９】
接続用回転軸６０２，６０３の他端側には、閉鎖板３ｂやエアタイトネスプレート３ｃを貫通して軸受７，８内に嵌入される軸本体６０７，６０８が形成される。軸本体６０７，６０８の形状は、通常は断面円形となっているが、軸受７，８の形状に応じて変更し得る。接続部６０５，６０６と軸本体６０７，６０８との間には、特に何も設ける必要はないが、フランジ等の他の部位を設けておいてもよい。
【００２０】
ここで、軸受７，８について簡単に説明しておくと、この実施形態では、軸受７，８として、図２に示すように、内輪８０１、外輪８０２、転動体８０３及び軸受箱８０４を備えたころがり軸受ユニットが採用されてており、この軸受箱８０４が閉鎖板３ｂにボルトによって固定される。図２では、一方の軸受８のみを拡大して示しているが、他方の軸受７について同様の構成を採用している。そして、接続用回転軸６０２，６０３の軸本体６０７，６０８が軸受７，８の内輪８０１内に挿入され、セットボルト８０５によって固定される。
【００２１】
尚、一方の接続用回転軸６０３には、図４に示すように、他端側の先端に取り付け部６０９が形成されており、この取り付け部６０９には、図１に示すように、駆動用のスプロケット９が取り付けられる。図４は、図７のｘ部分を変更したものであり、この図７については、ｘ部分を図４に変更することにより、そのまま、本願の実施の形態の分解斜視図として適用し得るものである。即ち、軸受７，８は、閉鎖板３ｂ，３ｄの外側にボルトによって固定され、この閉鎖板３ｂ，３ｄがエアタイトネスプレート３ｃ，３ｅを挟んでケーシング３の両端を閉じるように、ボルトで固定される。そして、接続用回転軸６０２，６０３の軸本体６０７，６０８がエアタイトネスプレート３ｃ，３ｅと閉鎖板３ｂ，３ｄとを貫通して、軸受７，８に取り付けられ、接続用回転軸６０２，６０３の接続部６０５，６０６が回転軸６０１の受容凹部６０４，６０４に嵌入されるものである。
【００２２】
しかして、回転軸６０１に設けられた区画部材５のゴム板５ａを交換する等のメンテナンスを行う場合には、閉鎖板３ｂ，３ｄの何れか少なくとも一方のボルトを外してケーシングから取り外すだけでよい。前端側の閉鎖板３ｄを外す場合を例にとり、より具体的に説明すると、前端側の閉鎖板３ｄをケーシング３に固定しているボルトを外して、閉鎖板３ｄを外すことによって、前端側の接続用回転軸６０３の接続部６０６が回転軸６０１の前端側の受容凹部６０４から抜け出し、軸受７と接続用回転軸６０３が閉鎖板３ｄと一体となって外れる。次に、回転軸６０１を引くことによって、後端側の接続用回転軸６０２の接続部６０５が回転軸６０１の後端側の受容凹部６０４から抜け出し、回転軸６０１及び区画部材５をケーシング３から抜き出すことができる。そして、区画部材５のゴム板５ａを交換する等、メンテナンスを行った後は、上記の逆の手順で簡単に組付けが可能となる。
【００２３】
尚、図１に基づき、ケーシング３の投入口１までの一つの実施形態を説明しておくと、投入口１の上部には、ホッパー１０１等の被計量物の投入装置が接続される。この実施形態では、ホッパー１０１の下部にスクリューコンベア１０２を配位し、このスクリューコンベア１０２で投入口１に被計量物を搬送する。尚、搬送装置は必ずしも必要ではなく、自然落下によって、ホッパー１０１から計量装置へ被吐出物が移送されるようにしてもよい。
【００２４】
また、被計量物として岩綿を用いる場合には、スクリューコンベア１０２とケーシング３の投入口１との間に、粉砕室１０３を設けておき、スクリューコンベア１０２によって送られてきた岩綿を吹き付け可能な程度に粉砕するようにしてもよい。この粉砕室１０３は、スクリューコンベア１０２の先端に開口部１０４を有し、その内部には粉砕用回転部材１０５が配設されている。この粉砕用回転部材１０５は、筒状軸１０６に複数の粉砕棒１０７が半径方向に突出して取り付けられたものからなり、筒状軸１０６内部に上記スクリューコンベア１０２の回転軸を挿通した二重軸を形成してスクリューコンベア１０２と同時に回転するように回動自在に取り付けられている。尚、粉砕室１０３の下面は、投入口１に連通して、粉砕した粉砕状岩綿をケーシング３内に落下させる。
【００２５】
投入口１からケーシング３内に投入された被計量物ｈは、図３に示すように、区画部材５によって区画される計量室４内に収納される。そして、接続用回転軸６０２，６０３が回転することにより、回転軸６０１及び区画部材５が回転し、計量室４内の被計量物を排出口２から排出するものである。
【００２６】
この排出口２は、投入口１と同様に、単なる開口としておけばよいが、この例では、排出口２の下部を溝状の吐出路２１としたもので、ブロアー（図示せず）から吐出されたエアーを、導入口２２から吐出路２１を経て吐出口２３から吐出させることによって、排出口２から落下した被計量物をエアーによって吐出するようにしている。
【００２７】
次に、図５に基づき他の実施の形態について説明する。この例では、接続用回転軸６０３の先端に受容凹部６０３ａが形成され、回転軸６０１の先端に、この受容凹部６０３ａに嵌入する接続部６０３ｂが形成されている。両者は、その断面形状が多角形であり、回動不能に接続される。尚、両者は回動不能に接続されれば足り、キー及びキー溝等の他の形状にしてもよい。また、図５では、一方の接続用回転軸６０３についてのみ図示したが、他方の接続用回転軸６０２についても同様の構成としてもよい。また、他方の接続用回転軸６０２については、先の実施の形態と同様の形態としてもよい。尚、接続用回転軸６０２，６０３と回転軸６０１とは、回動不能に接続されるが、ここで、回動不能とは、被計量物の計量搬送のために回転軸及び区画部材が回動させられる際に、接続用回転軸６０２，６０３と回転軸６０１とが空回りしない程度に回動不能に接続されておれば足り、例えば、両者を断面円形としても、クリアランスを極めて小さく取り、その摩擦抵抗によって、両者が空回りせず、軸受部分で接続用回転軸６０２，６０３のみが回動するものであれば実施可能である。
【００２８】
さらに、図示の実施の形態では、回転軸６０１は、閉鎖板３ｂ，３ｄとエアタイトネスプレート３ｃ，３ｅとを貫通せず、接続用回転軸６０２，６０３が貫通しているが、回転軸６０１が、閉鎖板３ｂ，３ｄとエアタイトネスプレート３ｃ，３ｅを貫通して、接続用回転軸６０２，６０３は貫通しないようにして、閉鎖板３ｂ，３ｄの外側で、両者が接続されるようにしてもよい。但し、メンテナンス時の回転軸６０１の脱着の作業性からすると、図示の実施形態のように、回転軸６０１は、閉鎖板３ｂ，３ｄとエアタイトネスプレート３ｃ，３ｅとを貫通しないものとしておき、ケーシング３の内側に接続用回転軸６０２，６０３の一部が配位され、ケーシング３の内部側の空間において接続用回転軸６０２，６０３と回転軸６０１との接続がなされるようにしておく方が有利である。
【００２９】
区画部材５は板状としたが、ケーシング内に複数の計量室を形成し得るものでれば、その形状は自由に変更し得る。例えば上記の実施例では、計量室４は、区画部材５と前後の閉鎖板３ｂ，３ｄとケーシング３の内周面とによって規定される空間となっているが、各区画部材５の前後を閉じる部材を区画部材５と一体に形成してもよい。この場合には、ケーシング３の前後端は、閉鎖板で閉じる必要はなくなり、ケーシングの前後端にバー材を渡して、軸受を支持させるようにしてもよい。
【００３０】
【発明の効果】
以上、本願の第１の発明は、区画部材の部品の交換等、ケーシング内を開く必要がある場合に、回転軸と軸受とのセットボルトを緩めずとも、簡単にケーシング内を開くことができ、メンテナンス作業の簡便化を図ることのできる回転計量装置を提供し得たものである。
【００３１】
本願の第２の発明は、上記の第１の発明の効果に加え、ケーシングの一端を塞ぐ閉鎖部材をケーシングから外して、軸方向に引き出すだけで、簡単にケーシング内を開くことができ、この開いた状態で区画部材及び回転軸を引き出すだけで、ケーシングから区画部材及び回転軸を取り出すことができるものである。
【図面の簡単な説明】
【図１】本願発明の１つの実施の形態に係る回転計量装置の回転軸方向に沿う断面図である。
【図２】同要部拡大図である。
【図３】同回転計量装置の中央縦断面図である。
【図４】同回転計量装置の要部分解斜視図である。
【図５】本願発明の他の実施の形態に係る回転計量装置の要部拡大断面図である。
【図６】従来の回転計量装置の回転軸方向に沿う断面図である。
【図７】同分解斜視図である。
【符号の説明】
１        投入口
２        排出口
３        ケーシング
３ａ      閉鎖部材
３ｂ      閉鎖部材
４        計量室
５        区画部材
７          軸受
８          軸受
６０１    回転軸
６０２    接続用回転軸
６０３    接続用回転軸
６０３ａ  受容凹部
６０３ｂ  接続部
６０４    受容凹部
６０５    接続部
６０６    接続部
【図１】
0003609877.tif 000002
【図２】
0003609877.tif 000003
【図３】
0003609877.tif 000004
【図４】
0003609877.tif 000005
【図５】
0003609877.tif 000006
【図６】
0003609877.tif 000007
【図７】
0003609877.tif 000008